(57)【要約】【課題】横主管での破砕物の詰まりをなくす。【解決手段】ディスポーザ装置１として先水供給後に破砕処理を行うようにすると共に、縦管７０に連結されるディスポーザ装置１の階層に応じて先水供給時間を異ならせる。上層階ほど先水供給時間を長目に設定し、この先水供給が終了した段階から破砕処理を行う。先水供給時間の調整、破砕処理開始タイミングの調整は、ディスポーザ装置１が連結される縦管７０であって、ディスポーザ装置１が連結された横枝管７６に至るまでの敷設長に応じて変える。上層階ほど先水供給時間を長くすることで、破砕水と破砕物とが横主管７６に到達する時間をほぼ同じくすることができる。その結果、横主管７６に流れ込んだ破砕物を破砕水によって排水処理槽７８側に確実に押し流すことができる。【選択図】        図１
2008238116.tif 000002
【特許請求の範囲】
【請求項１】
建物の各階層を貫いて配設された縦管に連結されたディスポーザ装置のディスポーザ排水処理システムにおいて、
上記ディスポーザ装置は、破砕処理に先立って先水供給が行われると共に、
上記先水供給の供給時間を、上記縦管の下端部から、上記ディスポーザ装置と上記縦管との連結部に至るまでの敷設長に応じて異ならせる
ことを特徴とするディスポーザ排水処理システム。
【請求項２】
上記先水供給の時間は、上層階に設置されたディスポーザ装置ほど長目に設定される
ことを特徴とする請求項１記載のディスポーザ排水処理システム。
【請求項３】
上記先水供給の時間は、隣設する複数の階層をグループ単位として、該グループ単位ごとに異ならせる
ことを特徴とする請求項１記載のディスポーザ排水処理システム。
【請求項４】
建物の各階層を貫いて配設された縦管に連結されたディスポーザ装置のディスポーザ排水処理システムにおいて、
上記ディスポーザ装置は、先水供給の後に破砕処理を行うディスポーザ装置が使用されると共に、
上記縦管の下端部から上記ディスポーザ装置と上記縦管との連結部に至るまでの敷設長に応じて、上記破砕処理の開始時間を異ならせた
ことを特徴とするディスポーザ排水処理システム。
【請求項５】
上記破砕処理の開始時間は、上層階に設置されたディスポーザ装置ほど遅めに設定される
ことを特徴とする請求項４記載のディスポーザ排水処理システム。
【請求項６】
上記破砕処理の開始時間は、隣設する複数の階層をグループ単位として、該グループ単位ごとに異ならせる
ことを特徴とする請求項４記載のディスポーザ排水処理システム。
【発明の詳細な説明】
【技術分野】
【０００１】
この発明は、高層の集合住宅等に敷設されるディスポーザ装置を使用したディスポーザ排水処理システムに関する。詳しくは、先水供給の後に破砕処理を行うディスポーザ装置を使用するとき、設置階数によって先水供給の時間を異ならせることで、共通に使用される排水系管体の詰まりを防止できるようにしたものである。また、設置階数によって破砕処理の開始時間を異ならせることで、共通に使用される排水系管体の詰まりを防止できるようにしたものである。
【背景技術】
【０００２】
最近の集合住宅などには、それぞれの家庭内の生ごみなどを破砕処理した上で、集合住宅に設置された共同排水処理槽に排出するようにしたディスポーザ排水処理システムが設けられている場合ある。
【０００３】
最近の集合住宅は高層化の傾向が強く、１０階建て以上の住宅も珍しくない。高層住宅のディスポーザ排水処理システムでは、各階を貫いて共用される縦管を有し、それぞれの階層には縦管に連結された横枝管が配管されると共に、各横枝管には各家庭のキッチンシンクに設置されたディスポーザ装置が接続されて、この排水処理システムが構成される。
【０００４】
このように高層化した場合、特に１０階以上になると、図１８以下に示すような現象が現れることが判明した。図１８において、縦管７０には各階層において複数の横枝管７２が連結される。横枝管７２のそれぞれにはディスポーザ装置（図示はしない）などが連結される。ディスポーザ装置はキッチンシンクの排水口に接続されて使用される。
【０００５】
ディスポーザ装置は生ごみ（野菜ごみ、魚介類など）を破砕しながら、破砕水と共に横枝管７２を介して縦管７０側に排出する。縦管７０側に排出された破砕水を含んだ破砕物は最終的には集合住宅に敷設された排水処理槽まで導かれる。
【０００６】
このような縦管７０を利用して破砕物などを排水処理槽に送り込む場合、縦管７０がある程度の長さとなると、破砕水などの液状物は図１８のように縦管７０の内壁面を伝って内壁面に沿って流下し、破砕物などの固形物は図１９に示すように縦管７０の中心部を通って落下する。そのため、縦管７０の末端部、つまり排水処理槽と縦管７０を結ぶ横主管（図示はしない）と、縦管７０との接続部のところには、破砕水よりも破砕物の方が先に落下することになる。
【０００７】
その結果、横主管には破砕物が落下してから破砕水が到達するため、横主管が落下した破砕物によって詰まり易くなる。横主管に落下物が到達した時点では、破砕水が横主管に到達していないからである。一旦、横主管に破砕物が滞留してしまうと、滞留した破砕物を簡単には排水処理槽側に押し流すことができない。
【０００８】
なお、高層住宅になると、縦管の長さも長くなり、それぞれの階に設置されたディスポーザ装置において使用する破砕水量が、低層階よりも高層階の方が多くなることから、できるだけ節水効果が得られるようにした技術が知られている（例えば特許文献１）。また、グラインダー式のディスポーザ装置が知られている（例えば特許文献２）。
【０００９】
【特許文献１】特開２０００−２８２５３０号公報
【特許文献２】特開２００４−２９８８０９号公報
【発明の開示】
【発明が解決しようとする課題】
【００１０】
ところで、上述した特許文献１には、縦管に複数のディスポーザ装置が連結されるとき、上流側のディスポーザ排水濃度が下流側のディスポーザ排水濃度よりも薄くなるようにした技術が開示されている。換言すれば、下流側の破砕水の水量を上流側の破砕水の水量よりも少なくなるように設定することで、下流側のディスポーザ装置の節水効果を期待するものである。
【００１１】
しかし、特許文献１に開示されたディスポーザ装置では節水効果が期待できるものの、上層階からは破砕水と破砕物とが別々にそれぞれの流下経路を経て横主管側に到達することに因る横主管の詰まりが全く改善されない。
【００１２】
それは、この種のディスポーザ装置にあっては、破砕水を供給しながら生ごみなどの破砕処理が行われるため、破砕物と破砕水とがほぼ同時に横枝管を介して縦管側に送り出される。しかし縦管内では破砕物と破砕水とが分離した状態で流下し、破砕水が横主管に到達する前に、破砕物の方が速く到達してしまうため、上述したような問題（横主管側の詰まり）を解決することができない。
【００１３】
そこでこの発明は、このような従来の課題を解決したものであって、特に高層住宅に適用されるディスポーザ排水処理システムにおいて、横主管などでの破砕物の詰まりを解決したディスポーザ排水処理システムを提案するものである。
【課題を解決するための手段】
【００１４】
上述の課題を解決するため、請求項１に記載したこの発明では、建物の各階層を貫いて配設された縦管に連結されたディスポーザ装置のディスポーザ排水処理システムにおいて、
上記ディスポーザ装置は、破砕処理に先立って先水供給が行われると共に、
上記先水供給の供給時間を、上記縦管の下端部から、上記ディスポーザ装置と上記縦管との連結部に至るまでの敷設長に応じて、異ならせる
ことを特徴とする。
【００１５】
また、請求項４に記載したこの発明では、建物の各階層を貫いて配設された縦管に連結されたディスポーザ装置のディスポーザ排水処理システムにおいて、
上記ディスポーザ装置は、先水供給の後に破砕処理を行うディスポーザ装置が使用されると共に、
上記縦管の下端部から上記ディスポーザ装置と上記縦管との連結部に至るまでの敷設長に応じて、上記破砕処理の開始時間を異ならせた
ことを特徴とする。
【００１６】
この発明では、縦管を流下する破砕水の流下速度が、同じ縦管内を落下する破砕物の落下速度よりも遅いことに着目したものであって、ディスポーザ装置として先水供給の後に破砕処理を行うようにすると共に、ディスポーザ装置の設置階層に応じて先水供給の供給時間を異ならせるようにしたものである。つまり、上層階ほど先水の供給時間を長目に設定し、この先水供給が終了した段階から破砕処理を行うようにしたものである。
【００１７】
換言すれば、この発明では先水供給の後に破砕処理を行うディスポーザ装置が使用されると共に、破砕処理の開始時間をディスポーザ装置の階層に応じて異ならせるようにしたものである。つまり、上層階ほど破砕処理開始タイミングを遅らせるようにしたものである。
【００１８】
先水供給時間の調整、破砕処理開始タイミングの調整は、上記縦管の下端部から、上記ディスポーザ装置と上記縦管との連結部に至るまでの敷設長に応じて変える。
【００１９】
上層階ほど先水供給時間を長くすることで、破砕水と破砕物とが縦管の下端部に到達する時間をほぼ同じくすることができる。その結果、縦管の下端部に至った破砕物を破砕水によって排水処理槽側に押し流すことができる。
【００２０】
また、上層階ほど先水供給してから破砕処理するまでの開始時間を遅らせることで、破砕水と破砕物とが縦管の下端部に到達する時間をほぼ同じくすることができる。
【００２１】
先水供給時間の調整や破砕処理開始タイミングの調整は、１０階以上の上層階に対して行うと好ましい。
【発明の効果】
【００２２】
以上説明したようにこの発明では、縦管に連結されるディスポーザ装置の先水供給時間を、縦管に対するディスポーザ装置の取り付け階数に応じて異ならせるようにしたものである。上層階ほど先水供給時間を長目に設定し、この先水供給が終了した段階から破砕処理を行うことによって縦管の下端部にほぼ同時に破砕物と破砕水が到達するので、縦管の下端部に至った破砕物を破砕水によって押し流すことができる。その結果、特に縦管の下端部から下流側の配管の詰まりを改善できる。
【００２３】
また、この発明では、ディスポーザ装置における破砕処理の開始時間をディスポーザ装置が設置される階層に応じて異ならせるようにしたものである。上層階ほど破砕処理開始タイミングを遅らせることによって、縦管の下端部にほぼ同時に破砕物と破砕水が到達するので、縦管の下端部に至った破砕物を破砕水によって押し流すことができる。その結果、特に縦管の下端部から下流側の配管の詰まりを改善できる。
【発明を実施するための最良の形態】
【００２４】
続いて、この発明に係るディスポーザ排水処理システムを高層の集合住宅に適用した場合について説明する。
【実施例１】
【００２５】
図１はこの発明を適用した高層集合住宅に敷設されるディスポーザ排水処理システム１０の一例を示す。
【００２６】
集合住宅には、厨房排水を取り扱う共用の縦管７０が各階層を貫いて敷設され、地下に埋設された横主管７６の一端側に、縦管７０の下端が連結されると共に、横主管７６の他端側が地下に埋設された排水処理槽７８に連結される。排水処理槽７８は、排水管（図示はしない）に連結される。
【００２７】
集合住宅に設置されたキッチンシンクにはディスポーザ装置１が取り付けられ、取り付けられたディスポーザ装置１はそれぞれ床面に設置された横枝管７２を介して縦管７０に設けられた連結管７４に連結される。
【００２８】
なお、以下説明する例では図１に示すように、１階から９階までを下層階、１０階以上を上層階とし、上層階のうちでも１０階から１９階までを中層階、２０階以上を高層階とする。これらの呼称はあくまで一例であって、８階や９階を基準にしてそれ以上の階数を上層階と呼称してもよい。
【００２９】
それぞれの階層に設置されるディスポーザ装置１Ｌ、１Ｍ、１Ｈは、何れも同一のディスポーザ装置が設置されているものとする。この発明に適用できるディスポーザ装置１について図２および図３を参照して説明する。
【００３０】
図２に示すように、キッチンシンクＳのほぼ中央底部に設けられた排水口Ｓｏには、その底部裏面側にディスポーザ装置１が取り付け固定される。図２に示すように、ディスポーザ装置１を構成するホッパー３の上部周面には水道水の供給口９とこの供給口９に連結された連結管１０がそれぞれ接続される。ホッパー３の下部周面には排水管接続口２１が設けられ、この排水管接続口２１を介して破砕された生ごみや破砕時に使用した破砕水（破砕時に使用する水であるが、場合によってはホッパ３内を洗浄する水を含む場合もある）などが排水管３９に排出される。
【００３１】
排水管接続口２１と排水管３９との間には、周知のトラップ管例えばＳ字トラップ管４０が接続される。この例では、このＳ字トラップ管４０と排水管接続口２１との間に分岐管４１が設けられる。分岐管４１はほぼＴ字状をなし、第１の分岐管４１ａは上述したＳ字トラップ管４０に連結され、Ｓ字トラップ管４０と鉛直状態で連結される第２の分岐管４１ｂ側には、洗浄水の吐出給水手段として機能する吐出給水部４２が連結される。この吐出給水部４２は、破砕物がＳ字トラップ管４０内に滞留しないようにするために設けられたもので、洗浄水をＳ字トラップ管４０に供給して管内に滞留した滞留物を排出すると共に、トラップ管内の洗浄を図る。
【００３２】
図２の例では、キッチンシンクＳとしては、その上部平坦面（溢れ縁）Ｓａに対し、一段凹んだ低い部位に位置する段差部５０が設けられたシンクを使用した場合である。段差部５０には水栓管５１が突出して取り付け固定される。水栓管５１の取っ手５２を操作することで、水道水の開栓および閉栓（止栓）が行われる。
【００３３】
段差部５０にはさらにディスポーザ装置１に供給される水道水に対するバキュームブレーカ６０が設けられる。バキュームブレーカ６０は、水道水とディスポーザ装置１側の水（汚水）とが直接混じり合わないようにするために設けられたものであって、水道水は一旦このバキュームブレーカ６０に導かれ、そしてバキュームブレーカ６０より吐水した水道水が、ディスポーザ装置１とＳ字トラップ管４０に導かれる。
【００３４】
そのため、水道本管５３から分岐した第１の分岐管５３ａが水栓管５１に連結され、水道本管５３から分岐した第２の分岐管５３ｂと第３の分岐管５３ｃが、２連構成のバキュームブレーカ６０に設けられた上水用の連結口（上水口）にそれぞれ接続される。
【００３５】
第２の分岐管５３ｂと第３の分岐管５３ｃには破砕水開閉弁５５、洗浄水開閉弁５７が配設され、給水の制御が行われる。破砕水開閉弁５５、洗浄水開閉弁５７は、例えば電磁弁が用いられる。第２の分岐管５３ｂに関連した吐水口と連結管１０との間には導水管５４が連結される。連結管１０を介すことなく直接水道水供給口９に連結することもできる。第３の分岐管５３ｃに関連した吐水口は導水管５６を介して上述した吐出給水部４２に連結される。
【００３６】
このように水道管等を連結することで、バキュームブレーカ６０を介してディスポーザ装置１の水道水供給口９と吐出給水部４２との側に、それぞれ処理水（破砕処理用の水（破砕水）と、洗浄用の水（洗浄水））を供給できる。
【００３７】
バキュームブレーカ６０は大気開放型のもの（大気圧式ディスポーザ装置）が使用される。断水などによって汚水の水位上昇を招くような負圧が排水管側に作用しても、このバキュームブレーカ６０によって上水系と汚水系を確実に分離できる。
【００３８】
ディスポーザ装置１は筒状をなすホッパー３を有し、その内部に破砕ユニットが設けられる。破砕ユニットはモータ６によって回転駆動される。
【００３９】
破砕ユニットとしては、ハンマーミルを使用して生ごみを粉砕する上述したハンマーミルタイプのものや、固定刃と回転刃を用いて生ごみを破砕するグラインダータイプのものなどを使用することができる。以下に示す実施例は、後者（グラインダータイプ）を使用したディスポーザ装置である。
【００４０】
図３はグラインダータイプのディスポーザ装置１の具体例を示す。ベースフレーム２の上に生ごみ等が投入されるホッパー３が搭載され、ホッパー３の上端がキッチンシンクＳの排水口Ｓｏに嵌合している。
【００４１】
ホッパー３の内部には、ホッパー３に対して着脱可能に破砕ユニット４が装着される。破砕ユニット４は、後述する回転破砕刃が減速ユニット５の駆動軸５ａに嵌合され、ベースフレーム２に取り付けたモータ６が減速ユニット５を介して破砕ユニット４の回転破砕刃を回転駆動する。破砕ユニット４に駆動力を伝達する駆動軸５ａにあって、破砕ユニット４との嵌合部分は角軸状あるいはスプライン軸状、嵌合し易い形状となされている。
【００４２】
ホッパー３は上端に投入開口部７が形成され、投入開口部７に蓋体８が着脱可能に取り付けられる。投入開口部７には上述した供給口９が設けられている。水道水は供給口９から蓋体８に供給され、そして蓋体８からホッパー３内へと給水され、これが破砕水として使用される。
【００４３】
蓋体８は中蓋８ａと上蓋８ｂを備える。中蓋８ａは上部が開口し下部が有底の円筒形状で、底部１１に水当て部１２が突出形成されると共に、水当て部１２の周囲に複数の給水口１３が形成される。水当て部１２と給水口１３とで貯水部１１ａが形成される。
【００４４】
複数の給水口１３は、貯水部１１ａの底部１１の内周側から外周側にかけて全面に形成される。給水口１３は例えば放射状に配置することができる。
【００４５】
貯水部１１ａは、中蓋８ａの側部を外周面から内周面へと貫通した供給口１８を備える。したがって蓋体８を投入開口部７に嵌め込んだとき、ホッパー３の供給口９と連通するように供給口１８が形成される。
【００４６】
水当て部１２は底部１１に対して立設した壁面が、供給口１８と対向する部位に形成される。水当て部１２は、横方向においては供給口１８からの水の放出方向に対して略直角に配置される。また、上下方向においては、上方が奥側に位置する方向に傾斜した斜面が形成される。蓋体８内に給水された水を、満遍なく周囲に分散させてホッパー３内に落下させるためである。
【００４７】
ホッパー３の内部には、排水管接続口２１へ向かって傾斜した底板２２が設けられ、底板２２の中心には減速ユニット５の駆動軸５ａが通る孔２２ａが形成される。
【００４８】
蓋体８を投入開口部７に装着した状態で蓋体８を所定方向に所定角度だけ回転させることで、蓋体８が閉状態となる。閉状態になると蓋体８がホッパー３にロックされる。蓋体８がロックした状態でディスポーザ装置１は稼働状態となる。蓋体８のロック状態はホッパー３の外周面に取着された検知手段２４によって検知される。検知手段２４は磁気センサ（近接センサ）などが使用され、したがって蓋体８には対応する位置に磁石（図示はしない）が装着固定されている。
【００４９】
ディスポーザ装置１はモータ６の回転駆動などを制御する制御系を備える。制御系はＣＰＵなどを搭載した制御部２５を有する。詳細は後述する。
【００５０】
ハウジング３１内に装着される破砕ユニット４として、この例では特許文献２に開示されている構造に近似した破砕刃が使用される。したがってこの破砕ユニット４は、第１回転破砕刃２６、第２固定破砕刃２７、第３回転破砕刃２８、第４固定破砕刃２９および第５回転破砕刃３０が重ね合わされたユニットとして使用される。
【００５１】
ハウジング３１は円筒形状で、その外径はホッパー３の内径とほぼ等しく構成される。破砕ユニット４はホッパー３の投入開口部７側から装着される。ハウジング３１には円弧状の金属棒で構成された着脱用のハンドル３１ｃを備える。ハンドル３１ｃはハウジング３１の上端側に直径方向に延在して取り付けられる。
【００５２】
第１回転破砕刃２６は、軸受部３２の側部の片側から水平に延びる１本の攪拌アームで構成される。
【００５３】
第２固定破砕刃２７は、１８０度間隔で水平に延びる平板状の２本のアームを備え、その両側面に形成されたエッジが破砕刃として機能する。
【００５４】
第３回転破砕刃２８は、中心から１２０度間隔で放射状に延びる３本のアームを備える。各アームはその底面側に所定のピッチを有する櫛歯部が形成される。
【００５５】
第４固定破砕刃２９は、中心から等間隔で接線方向に放射状に延びる８本のアームをリングで囲んだ形状である。８本のアームのうち、例えば６本のアームにはその上面に、第３回転破砕刃２８と歯合する櫛歯部が形成され、これらが第３回転破砕刃２８と歯合する。第４固定破砕刃２９の櫛歯部は、上段の破砕刃から送り込まれた生ごみを、第３回転破砕刃２８の櫛歯部との協働で破砕する。
【００５６】
リングの外周には１８０度間隔で放射方向に突出するタブ２９ａが形成される。タブ２９ａはハウジング３１の縦溝３１ｂに嵌合して、第４固定破砕刃２９の回転を規制する。
【００５７】
第５回転破砕刃３０は円板形状で、中心のハブを除く全面に多数のスリットが配列されて構成される。この例では、複数のスリット群で構成され、隣接するスリット群同士が略平行に配列されている。
【００５８】
第５回転破砕刃３０の上面は平面で、第４固定破砕刃２９の各アームの底面に接しながら回転する。また、スリットは第５回転破砕刃３０を表裏貫通し、スリットの上面側開口縁部には鋭利なエッジが形成される。したがって、第３回転破砕刃２８の櫛歯部と、第４固定破砕刃２９の櫛歯部により破砕されて第５回転破砕刃３０の上面に落下した生ごみはスリットに引っ掛かり、第５回転破砕刃３０が回転することでこのスリットに押し付けられ、そしてスリットのエッジ部分によって破砕される。細かく破砕された生ごみは、スリットを通って破砕水と共に落下し、そしてホッパー３の底板２２を通り排水管接続口２１から外部へと排出される。
【００５９】
蓋体８の開閉操作に関連して破砕水開閉弁５５、洗浄水開閉弁５７がそれぞれ制御されて破砕水および洗浄水に対する給水制御が行われる。図４はディスポーザ装置１の制御系の一例である。
【００６０】
制御部２５は、装置全体の制御を司るもので、ＣＰＵの他に、所定の処理プログラムが格納されたメモリ手段（ＲＯＭ）、ワーキング用のメモリ手段（ＲＡＭ）などで構成される。
【００６１】
制御部２５からは所定タイミングごとに、破砕水開閉弁５５、洗浄水開閉弁５７の開閉や、駆動モータ６等に対する駆動状態が制御される。
【００６２】
ハウジング３１内に生ごみが投下された段階で、蓋体８が開口部７に装着され、装着後蓋体８を所定方向に所定角度だけ回転させることで蓋体８がホッパー３にロックされる。ホッパー３のロック位置には検知手段２４が設けられているので、蓋体８の近接および離間が検知手段２４より検知される。
【００６３】
制御部２５ではこの検知手段２４からの信号に基づいてロック検知信号（蓋体８の近接）とロック解除信号（蓋体８の離間）が生成される。
【００６４】
また、ディスポーザ装置１は、先水供給された後に破砕処理が実施されるタイプのものである。先水供給とは、ディスポーザ装置１がハウジング３１内に投入された生ごみを破砕動作するのに先立って、供給口９や、吐出給水部４２から、給水を行うことを指す。制御部２５によって先水供給時間あるいは先水供給後の破砕処理の開始時間が調整される。先水供給時間を調整することは、破砕処理開始時間を調整することになるので、以下の説明では先水供給時間を調整する場合について説明する。
【００６５】
制御部２５にはこの先水供給時間を調整するための調整手段８０からの設定信号が供給される。先水供給時間は数段階の調整ができるようになっている。そのため、この例では調整手段８０としてディップスイッチが使用されている。
【００６６】
先水供給時間の調整について以下説明する。上述したように、縦管７０を流れ下る破砕物は縦管７０の中心部を落下し、破砕水は縦管７０の内壁面を伝って内壁面に沿って流れ落ちる。そのため、横主管７６には先に破砕物が到達する。横主管７６に到達した破砕物だけでは排水処理槽７８側に流れないので管内に堆積する。破砕物が落下してからしばらくしてから、破砕水が流下してくる。堆積した破砕物が少しの量の破砕物であれば、しばらくしてから流下してきた破砕水によって堆積した破砕物を押し流すことができる。しかし、多目の破砕物が管内に堆積すると、最早破砕水だけでは堆積した破砕物を排水処理槽７８側に押し流すことができなくおそれがある。破砕物と破砕水とが一緒であれば、管内に堆積することなく破砕物を押し流すことができる。
【００６７】
そうするためには、破砕物が落下し始める前に破砕水を縦管７０側に流す必要がある。しかも上層階ほど早めに縦管７０側に破砕水を流さなければならない。実験によると、破砕物と破砕水が分離して流れ落ち始め、縦管７０の下端部に位置する横主管７６への到達時間に差が出始めるのは、８階程度の高さ（敷設長）からである。
【００６８】
したがってディスポーザ装置１が連結される縦管７０の横主管７６からの敷設長を基準にして、先水供給時間を調整する必要がある。下層階（地上階から９階位まで）に設置されるディスポーザ装置１Ｌを１つの単位グループとしたとき、この下層階に設置されるディスポーザ装置１Ｌの先水供給時間ｔｌを基準の先水供給時間とすると、中層階（１０階から１９階位まで）に設置されるグループ化されたディスポーザ装置１Ｍにおける先水供給時間ｔｍは、
ｔｍ＞ｔｌ  ・・・・（１）
に設定する。そして高層階（２０階以上）に設置される同じくグループ化されたディスポーザ装置１Ｈにあっては、その先水供給時間ｔｈは、中層階の先水供給時間ｔｍよりもさらに長目に設定される。
ｔｈ＞ｔｍ  ・・・・（２）
先水供給時間の調整例を図５に示す。実線折線Ｌａに示すように、この例では、
ｔｌ＝５sec    
ｔｍ＝１０sec
ｔｈ＝１５sec
のように設定した。
【００６９】
こうすることで、下層階に設置されたディスポーザ装置１Ｌでは、破砕処理に先行して先水供給が５secだけ行われてから破砕処理が開始する。同様に中層階に設置されたディスポーザ装置１Ｍでは、破砕処理に先行して１０secの先水供給が行われ、高層階に設置されたディスポーザ装置１ｈでは破砕処理に先行して先水供給が１５secだけ行われてから破砕処理が開始する。
【００７０】
このようにディスポーザ装置１の連結位置（ディスポーザ装置１の設置されている階層）に応じて、先水供給時間を異ならせることで、破砕物と破砕水との横主管７６への到達時間差が発生するような場合でも、予め先水供給を行って、破砕水を先に流しておけば、破砕物を堆積あるいは滞留させることなく排出できる。
【００７１】
図５に示す先水供給時間の設定は一例である。集合住宅によっては階層間の高さ（床面から床面までの高さ）が異なるからである。先水供給時間の調整は、図５の折線Ｌａよりももっと細かくすることもできる。例えば図５鎖線折線Ｌｂのように階層をさらに細かく分割して調整することも可能であり、そうすることによって、よりきめ細やかに節水できる。
【００７２】
図６以下に給水制御と破砕処理の関係を示す。給水制御として、ハウジング３１内へ給水制御（本体給水制御）に加えて、Ｓ字トラップ管４０への給水制御（洗浄給水制御）を行う例を、図６〜図１２に示す。
【００７３】
（下層階での使用例）  
図６は下層階に設置されたディスポーザ装置１Ｌの使用例を示す。
【００７４】
図６Ａのように蓋体８に対するロック検知信号が生成されると、制御部２５からの制御信号によってまず破砕水開閉弁５５が開状態に制御されてホッパー３内への給水が開始される（図６Ｂ）。そして、この給水開始より所定時間ｔｌ経過したのち、破砕処理が所定時間Ｔａだけ行われる（図６Ｃ）。破砕処理の期間中は本体給水が継続され、破砕水を使用しながら破砕処理が行われる。そのため、本体給水時間はＴｂとなる。この破砕処理開始前の本体給水が先水供給処理となる。破砕処理が終了してから所定時間Ｔｃの間だけ、トラップ管４０側に洗浄水が供給され、トラップ管４０などに対する洗浄処理が行われる（図６Ｄ）。
【００７５】
下層階に設置されたディスポーザ装置１Ｌの場合には、横主管７６からディスポーザ装置１Ｌが連結された縦管７０までの敷設長は、余り長くないので、縦管７０側に送り込まれた破砕物と破砕水が分離して流下するような顕著な分離状態は発生しない。そのため、先水供給時間ｔｌはデフォルト値（５sec程度）のままである。つまり、平屋や２〜３階建ての家屋などに設置されるときの先水供給時間と同じである。
【００７６】
なお、実験の結果、破砕処理時間Ｔａは３０sec〜６０sec程度である。この程度の時間に設定すれば、１回に出る生ごみ量を充分に破砕処理できるからである。本体給水時間Ｔｂは３５sec〜６５sec程度となる。洗浄処理時間Ｔｃは５sec〜１０sec程度に設定されている。
【００７７】
破砕処理に必要な破砕水の水量は、毎分８リットル程度が好ましい。この例では先水供給時の水量も毎分８リットルに設定してあるが、これよりも少なくすることも可能である。例えば、先水供給時のみ毎分２〜３リットルに水量を絞ることもできる。一方、洗浄処理は破砕処理の後処理（追水供給）であるので、先水供給時の水量よりも少なく設定されている。洗浄処理時における追水供給水量として、この例では毎分２〜３リットル程度に設定されている。
【００７８】
（中層階での使用例）
図７は、中層階に設置されるディスポーザ装置１Ｍの使用例である。この例でも蓋体８のロックが検知されると、先水供給の後に破砕処理が実行され、破砕処理が終了してから追水供給としての洗浄処理が行われる（図７Ａ，Ｂ，Ｃ，Ｄ）。そして、破砕処理時間Ｔａおよび洗浄処理時間Ｔｃやそのときの使用水量などは、（下層階での使用例）と同じである。
【００７９】
ただし、先水供給時間ｔｍは、中層階用の時間に設定される。上述した例によると、ｔｍ＝１０secである（ｔｍ＞ｔｌ）。このため、本体給水時間Ｔｂ'は、４０sec〜７０sec程度となる。ディスポーザ装置１Ｍが連結される縦管７０の横主管７６に至るまでの敷設長が長くなり、縦管７０内で破砕物と破砕水が分離して流下するような現象が顕著になるからである。
【００８０】
先水供給時間ｔｍを設定することで、破砕物と破砕水との横主管７６への到達時間がほぼ同じか、破砕水の方が早く到達する。
【００８１】
（高層階での使用例）
図８は、高層階に設置されるディスポーザ装置１Ｈの使用例である。この例でも蓋体８のロックが検知されると、先水供給の後に破砕処理が実行され、破砕処理が終了してから追水供給としての洗浄処理が行われる（図８Ａ，Ｂ，Ｃ，Ｄ）。そして、破砕処理時間Ｔａおよび洗浄処理時間Ｔｃやそのときの使用水量などは、（下層階での使用例）と同じである。
【００８２】
一方、先水供給時間ｔｈは、高層階用の時間に設定される。上述した例によると、ｔｈ＝１５secである（ｔｈ＞ｔｍ）。このため、本体給水時間Ｔｂ”は、４５sec〜７５sec程度となる。ディスポーザ装置１Ｈが連結される縦管７０の横主管７６に至るまでの長さが中層階よりもさらに長くなり、縦管７０内で破砕物と破砕水が分離して流下するような現象がさらに顕著になるからである。
【００８３】
先水供給時間ｔｈを長目に設定することで、破砕物と破砕水との横主管７６への到達時間がほぼ同じか、破砕水の方が早く到達する。
【００８４】
このように破砕処理が開始される前に事前給水を行うことで、ホッパー３内および横枝管７２を経由して縦管７０に破砕水が流れ込む。破砕水によってまず第１に、ハウジング３１の内壁および破砕ユニット４の表面が滑らかになる。内壁等が破砕水で濡らされることで、その後に続く破砕処理時に生ごみがホッパー３の内壁などに付着するのを防止できる。
【００８５】
第２に、上層階に設置されたディスポーザ装置１の場合には、先水供給された破砕水は破砕物が縦管７０から落下する前に、横枝管７２および縦管７０を伝わって横主管７６側へと流れ込む。その流下途中から破砕処理が実行され、破砕物が横枝管７２を介して縦管７０側に破砕水と共に流れ込む。縦管７０に流れ込んだ破砕物は横主管７６側に落下する。横主管７６側に破砕物が到達するとほぼ同時か、それよりも前に先水供給として流下した破砕水が横主管７６側に到達しているので、横主管７６に到達した破砕物は破砕水と共に横主管７６を流れ下り、排水処理槽７８内に流れ込む。
【００８６】
破砕物と共に横枝管７２側に流下した破砕水は、破砕物よりも多少遅れて横主管７６側に到達するので、この遅れた破砕水も加わって破砕物を排水処理槽７８側に押し流すため、破砕物が特に横主管７６側に滞留したりすることはない。したがってディスポーザ装置１が連結される縦管７０の横主管７６からの敷設長の長短に拘わらず、横主管７６の詰まりを回避できる。
【００８７】
図９から図１１までは、トラップ管４０に対する洗浄処理を破砕処理の前後に行うようにした例であり、図９は（下層階での使用例）を示す。その処理タイミング等は図６と全く同じであるので、図９Ａ〜図９Ｄの説明は割愛する。
【００８８】
トラップ管４０に対する破砕処理前の洗浄処理の時間は先水供給の時間ｔｌと同じに設定されている。洗浄処理に必要な水量は、上述した例と同じく毎分２〜３リットル程度である。
【００８９】
また、このように破砕処理前の洗浄処理に使用される水は、先水供給のための水（破砕水）としても利用できるため、先水供給のための水量（本体給水用の水量）は、破砕処理時の水量よりも少なく設定した方が好ましい。その水量を、洗浄処理に必要な水量と同じ量とすることで、節水を期待できる。
【００９０】
図１０は、（中層階での使用例）であり、図７と同じ処理となるので、その説明は割愛する。同様に、図１１は、（高層階での使用例）であり、図８と同じ処理となる。図９、図１０および図１１の例においても、先水供給の時間は、（ｔｈ＞ｔｍ＞ｔｌ）のように設定されるのはもちろんである。
【００９１】
図１２は、破砕処理の前に洗浄処理を行うときは、この洗浄処理に使用する水を先水供給用の水としても利用する例である。したがってこの場合には、下層階におけるディスポーザ装置１Ｌでは洗浄処理時間は先水供給時間ｔｌに設定される（図１２Ｄ）。
【００９２】
同じく、中層階におけるディスポーザ装置１Ｍでは洗浄処理時間は先水供給時間ｔｍに設定され、高層階におけるディスポーザ装置１Ｈでは洗浄処理時間は先水供給時間ｔｈに設定される。そして、図１２Ｂに示すように、破砕処理を行っているときだけ本体側への給水が行われる。洗浄処理に使用する水量は、破砕処理の前であっても、毎分２〜３リットルとした。
【００９３】
図１３は、トラップ管４０に対する洗浄処理を行うための構成がないディスポーザ排水処理システムに適用した場合である。したがって、この場合には本体給水のみであって、破砕処理前に先水供給が行われる（図１２Ｂ，Ｃ）。
【００９４】
図１３の例は、先水供給でも破砕処理時に使用する水量（毎分８リットル程度）に設定されているので、破砕処理後の洗浄処理に使用する水量もまた破砕処理時の水量となるように設定されている。図１３は下層階に設置されるディスポーザ装置１Ｌについての本体給水による先水供給例（ｔｌ）である。図示を省略するが、他のディスポーザ装置１Ｍ，１Ｈにあっても同様に、本体給水による先水供給（ｔｍ,ｔｈ）が行われる。
【００９５】
図１４は、破砕処理後の洗浄処理に使用する水量を減量した例である。この例では、破砕処理後の洗浄処理に使用する水量は毎分２〜３リットルに設定されている。図１４では下層階に設置されるディスポーザ装置１Ｌを例示してあるが、他のディスポーザ装置１Ｍ，１Ｈにあっても同様である。
【００９６】
図１３および図１４にあって、破砕処理前の先水供給の水量を毎分２〜３リットルに設定して節水構成とすることも可能である。
【００９７】
上述した実施例は何れも、ディスポーザ装置として先水供給後に破砕処理を行うようにすると共に、縦管７０に連結されるディスポーザ装置１の階層に応じて先水供給時間を異ならせたものである。
【００９８】
もちろん、破砕処理の開始時間をディスポーザ装置１の階層に応じて異ならせても同じ結果が得られる。つまり、上層階ほど破砕処理開始タイミングを遅らせてもよい。
【００９９】
遅延時間の一例を説明する。下層階に設置されるディスポーザ装置１Ｌの破砕開始時間を先水供給開始から時間ｔｌ（上例と同じく５sec程度）とする。中層階では、時間ｔｌよりもさらに５sec遅らせ、先水供給開始から時間ｔｍ経過後に破砕を開始する。そして、高層階では、さらにそれより５sec遅らせる。つまり、先水供給開始から時間ｔｈ経過後に破砕を開始する。
【０１００】
このように上層階ほど破砕処理開始タイミングを遅らせることで、破砕処理前に供給される先水供給量が、ディスポーザ装置が連結された縦管７０の敷設長に応じて増えるので、ディスポーザ装置の設置階数に拘わらず、破砕水と破砕物の横主管への到達時間をほぼ同じか、破砕水が早めに到達させることができる。これによって、横主管内での破砕物等による詰まりを改善できる。
【実施例２】
【０１０１】
図１５、図１６、図１７に示す実施例は、図６、図７、図８に示した実施例に対し、節水効果をも意図した態様を示す例である。
【０１０２】
図１５Ａ〜Ｄは、図６に示す下層階に設置されたディスポーザ装置１Ｌの使用例と同一で、この使用例が図１６Ａ〜Ｄに示す中層階に設置されたディスポーザ装置１Ｍの使用例や、図１７Ａ〜Ｄに示す高層階に設置されたディスポーザ装置１Ｈの使用例に対する基準となる。
【０１０３】
この例では、中層階の先水給水時間ｔｍの間において給水動作（本体給水）が成される時間は、下層階の給水時間ｔｌと同等な時間だけである。給水時間ｔｌが経過したのちは、本体給水、破砕処理、洗浄給水の何れの動作も行わない待ち時間ｔｍ'となる。（図１６Ｂ）
【０１０４】
同様に、高層階の先水給水時間ｔｈの間において給水動作（本体給水）が成される時間は、下層階の給水時間ｔｌと同等な時間だけである。給水時間ｔｌが経過したのちは、本体給水、破砕処理、洗浄給水の何れの動作も行わない待ち時間ｔｈ'となる。（図１７Ｂ）
【０１０５】
中層階の先水給水時間ｔｍ、高層階の先水給水時間ｔｈは、何れも、図６、図７に示した例と同等の時間に設定されている。
【０１０６】
このようにすることで、中層階（高層階）において、検知手段２４が蓋体８のロック状態を検知すると、所定時間ｔｌの間だけ、給水が行われる。所定時間ｔｌが経過したのちは、ディスポーザ装置１Ｍ（１Ｈ）は、本体給水、破砕処理、洗浄給水の何れの動作も行わない待ち時間ｔｍ'（ｔｈ'）となる。
【０１０７】
所定時間ｔｌの間に行われた給水の水は、待ち時間ｔｍ'（ｔｈ'）の間に横枝管７２Ｍ（７２Ｈ）及び縦管７０を流下し、待ち時間ｔｍ'（ｔｈ'）が経過する頃に横主管７６へと至る。待ち時間ｔｍ'（ｔｈ'）が経過すると、破砕処理並びに本体給水が開始されるが、この破砕処理の初期に生成される破砕物が横主管７６へ至る頃には所定時間ｔｌの間に行われた給水の水が横主管７６へと至っているので、破砕処理の初期に生成される破砕物は、この水によって横主管７６内を流下する。
【０１０８】
また、破砕処理の初期後に生成される破砕物が横主管７６へ至る頃には、破砕処理の初期に成された本体給水の水が横主管７６に至っているので、破砕処理の初期後に生成される破砕物は、破砕処理の初期に成された本体給水の水によって横主管７６を流下する。
【０１０９】
この実施例２の場合には、中層階、高層階でのディスポーザ使用における節水を図りつつ、横主管における詰まりを改善できる。実施例１，２に開示したグループ化する階層数は任意である。
【産業上の利用可能性】
【０１１０】
この発明に係るディスポーザ排水処理システムは、高層住宅のディスポーザ排水処理システムに適用して極めて好適である。
【図面の簡単な説明】
【０１１１】
【図１】この発明に係るディスポーザ排水処理システムの一例を示す概念図である。
【図２】この発明に適用できるディスポーザ装置の設置例を示す要部の構成図である。
【図３】この発明に適用できるディスポーザ装置の一例を示す要部の断面図である。
【図４】この発明に係るディスポーザ排水処理システムの制御系を示す要部構成図である。
【図５】先水供給時間の調整例を示す図である。
【図６】下層階のディスポーザ装置に適用される先水供給時間の設定例を示すタイミングチャートである。
【図７】中層階のディスポーザ装置に適用される先水供給時間の設定例を示すタイミングチャートである。
【図８】高層階のディスポーザ装置に適用される先水供給時間の設定例を示すタイミングチャートである。
【図９】下層階のディスポーザ装置に適用される先水供給時間の設定例と洗浄給水の関係を示すタイミングチャートである。
【図１０】中層階のディスポーザ装置に適用される先水供給時間の設定例と洗浄給水の関係を示すタイミングチャートである。
【図１１】高層階のディスポーザ装置に適用される先水供給時間の設定例と洗浄給水の関係を示すタイミングチャートである。
【図１２】各階層のディスポーザ装置に適用される先水供給時間の設定例と洗浄給水の関係を示すタイミングチャートである。
【図１３】洗浄給水のないディスポーザ装置を使用したときの先水供給時間の設定例を示すタイミングチャートである（その１）。
【図１４】洗浄給水のないディスポーザ装置を使用したときの先水供給時間の設定例を示すタイミングチャートである（その２）。
【図１５】下層階のディスポーザ装置に適用される先水供給時間の設定例を示すタイミングチャートである。
【図１６】中層階のディスポーザ装置に適用される先水供給時間の設定例を示すタイミングチャートである。
【図１７】高層階のディスポーザ装置に適用される先水供給時間の設定例を示すタイミングチャートである。
【図１８】縦管を流下する破砕物と破砕水との関係のうち破砕水の流下状態を示す図である。
【図１９】縦管を流下する破砕物と破砕水との関係のうち破砕物の流下状態を示す図である。
【符号の説明】
【０１１２】
１（１Ｌ、１Ｍ、１Ｈ）・・・ディスポーザ装置
３・・・ホッパー
４・・・破砕ユニット
２６，２８，３０・・・回転破砕刃
２７，２９・・・固定破砕刃
３１・・・ハウジング
８・・・蓋体
９・・・供給口
１８・・・供給口
２１・・・排出接続口
５５・・・破砕水開閉弁
５７・・・洗浄水開閉弁
Ｓ・・・キッチンシンク
３９・・・排水管
４０・・・Ｓ字トラップ管
７０・・・縦管
７２（７２Ｌ、７２Ｍ、７２Ｈ）・・・横枝管
７６・・・横主管
７８・・・排水処理槽
【図１】
2008238116.tif 000003
【図２】
2008238116.tif 000004
【図３】
2008238116.tif 000005
【図４】
2008238116.tif 000006
【図５】
2008238116.tif 000007
【図６】
2008238116.tif 000008
【図７】
2008238116.tif 000009
【図８】
2008238116.tif 000010
【図９】
2008238116.tif 000011
【図１０】
2008238116.tif 000012
【図１１】
2008238116.tif 000013
【図１２】
2008238116.tif 000014
【図１３】
2008238116.tif 000015
【図１４】
2008238116.tif 000016
【図１５】
2008238116.tif 000017
【図１６】
2008238116.tif 000018
【図１７】
2008238116.tif 000019
【図１８】
2008238116.tif 000020
【図１９】
2008238116.tif 000021